(57)【要約】【課題】釣針の位置姿勢を調整可能なルア−を提供することである。【解決手段】ルア−１は、ルア−本体２と管体３と、ルア−本体２に取り付けられた糸４に取り付けられた釣針５と、ルア−本体２に取り付けられた道糸７と、ルア−本体２に取り付けられたスカ−ト８で構成され、ルア−本体２は金属材で頭部２ａと保持部２ｂが形成されて保持部２ｂには頭部２ａ側から小径部２ｃと段部からなる中径部２ｄと太径部２ｅと螺子部２ｆが形成されている。  太径部２ｅの外径は螺子部２ｆのネジ山径及び小径部２ｃの外径より太く形成されて保持部２ｂの端面には糸４の取り付け止着部１０が固定されている。  管体３は可撓性と弾力性を有する合成樹脂やゴム等でチュ−ブ状に形成されて管体３は螺子部２ｆのどの位置でもねじ込む力が掛からないと移動出来ない弾力性を有している。【選択図】    図３
2010273637.tif 000002
【特許請求の範囲】
【請求項１】
ルア−本体に糸を介して釣針を取り付けたルア−において、前記ルア−本体に該糸が管体を挿通して取り付けられており、前記ルアー本体に管体が螺合されていることを特徴とするルア−。
【請求項２】
ルア−本体に管体を螺合する螺子部より外径より太い太径部を設けたことを特徴とする請求項１記載のルア−。
【発明の詳細な説明】
【技術分野】
【０００１】
本発明は、釣針の位置、姿勢を調整可能なルア−に関する。
【背景技術】
【０００２】
従来から特許文献１のようにヘッド本体にテ−ルを介して釣針を取り付けたルア−が提示されているが、このルア−では釣針の位置調整が出来ず、釣針が取り付けられた糸の長さによって釣針の姿勢が固定されて調整することが出来ない。
【特許文献１】特開平９−３７６８１号公報
【発明の概要】
【発明が解決しようとする課題】
【０００３】
解決しようとする問題点は、釣針の位置、姿勢の調整が出来ないことである。
【０００４】
本発明の目的は前記欠点に鑑み、釣針の位置、姿勢を調整可能なルア−を提供することである。
【課題を解決するための手段】
【０００５】
本発明の請求項１は、ルア−本体に糸を介して釣針を取り付けたルア−において、前記ルア−本体に該糸が管体を挿通して取り付けており、前記ルア−本体に管体が螺合されていることを要旨とするものである。
本発明の請求項２は、ルア−本体に管体を螺合する螺子部より外径より太い太径部を設けたことを要旨とするものである。
【発明の効果】
【０００６】
本発明の請求項１によると、ルア−本体に管体を螺合した螺合量長さによって管体から突出した糸の長さが調整されると共に突出した糸の長さによって釣針の姿勢が調整される。
保持部の螺子部に管体が螺合されているので、魚が針にかかり管体から突出した糸が周囲に振られても管体の位置ずれがなく、管体が抜け落ちることを抑制する。
【産業上の利用可能性】
【０００７】
本発明はルア−全般に利用できる。
【図面の簡単な説明】
【０００８】
【図１】第１実施例で、管体を断面にしたルア−の平面図である。
【図２】同ルア−の断面平面図である。
【図３】同ルア−本体と管体の螺合量を少なくした管体を断面にしたルア−の平面図である。
【図４】同ルア−本体の要部と管体を断面にしたルア−の拡大平面図である。
【図５】第２実施例で、管体を断面にしたルア−の平面図である。
【図６】同ルア−の断面平面図である。
【図７】同ルア−本体と管体の螺合量を少なくした管体を断面にしたルア−の平面図である。
【発明を実施するための最良の形態】
【０００９】
ルア−１は、ルア−本体２と管体３と、ルア−本体２に取り付けられた糸４に取り付けられた釣針５と、ルア−本体２に取り付けられた道糸７と、ルア−本体２に取り付けられたスカ−ト８で構成されている。
ルア−本体２は金属材で頭部２ａと保持部２ｂが形成されている。
保持部２ｂには頭部２ａ側から小径部２ｃと段部からなる中径部２ｄと太径部２ｅと螺子部２ｆが形成されている。
太径部２ｅの外径は螺子部２ｆのネジ山径及び小径部２ｃの外径より太く形成されている。
頭部２ａには２箇所に道糸７の取り付け止着部９、９が固定されている。
保持部２ｂの端面には糸４の取り付け止着部１０が固定されている。
管体３は可撓性と弾力性を有する合成樹脂やゴム等でチュ−ブ状に形成されている。
管体３の長さは保持部２ｂの長さより長く形成されている。
管体３は螺子部２ｆのどの位置でもねじ込む力が掛からないと移動出来ない弾力性を有している。
スカ−ト８の長さは頭部２ａ側の保持部２ｂの端部から針先先端部までの長さに形成されていることが好ましい。
【実施例１】
【００１０】
以下、図示の実施例によって本発明を説明すると、図１から図３は第１実施例で、図１は管体を断面にしたルア−の平面図、図２はルア−の断面平面図、図３はルア−本体と管体の螺合量を少なくした管体を断面にしたルア−の平面図、図４はルア−本体の要部と管体を断面にしたルア−の拡大平面図である。
【００１１】
ルア−１は、ルア−本体２と管体３と、ルア−本体２に取り付けられた糸４に取り付けられた釣針５と、ルア−本体２に取り付けられた道糸７と、ルア−本体２に取り付けられたスカ−ト８で構成されている。
ルア−本体２は金属材で頭部２ａと保持部２ｂが形成されている。
保持部２ｂには頭部２ａ側から小径部２ｃと段部からなる中径部２ｄと太径部２ｅと螺子部２ｆが形成されている。
太径部２ｅの外径は螺子部２ｆのネジ山径及び小径部２ｃの外径より太く形成されている。
頭部２ａには２箇所に道糸７の取り付け止着部９、９が固定されている。
保持部２ｂの端面には糸４の取り付け止着部１０が固定されている。
管体３は可撓性と弾力性を有する合成樹脂やゴム等でチュ−ブ状に形成されている。
管体３の長さは保持部２ｂの長さより長く形成されている。
【００１２】
保持部２ｂの螺子部２ｆに管体３がねじ込まれると、管体３の内周面３ａに螺子部２ｆのネジ山で内周面３ａが押し広げられて対応するネジ山が出来る。
更に管体３の先端が太径部２ｅを覆う位置より前側まで螺合されると、管体３の先端に、太径部２ｅより前側に内側に食い込む縮径部３ｂが出来て引っ掛かり作用が発生し、後側への移動を規制する。
管体３は螺子部２ｆのどの位置でもねじ込む力が掛からないと移動出来ない弾力性を有している。
管体３の内周面３ａには螺子部２ｆのネジ山にきつく対応するネジ山や太径部２ｅに対応する凹部を予め形成しておいてもよい。
小径部２ｃの外周には細紐状の複数本のスカ−ト８がバンド１１で止められている。
スカ−ト８の長さは頭部２ａ側の保持部２ｂの端部から針先先端部までの長さに形成されていることが好ましい。
【００１３】
ルア−本体２の螺子部２ｆに管体３が太径部２ｅを覆うまで螺合されると、管体３内を挿通されて保持部２ｂの止着部１０に取り付けられた糸４は比較的長く管体３から突出されて釣針５は自由に周囲を移動することが出来るから、釣りの作用として、ルア−１に呼び寄せられた魚がルア−１の周囲に食らいついた際にも魚が釣針５に掛かる可能性が高まる。
ルア−本体２の螺子部２ｆの端に管体３が長さ小量螺合された状態では、糸４がほぼ管体３の中に引き込まれて釣針５が突出されているので、管体３に近い釣針５は自由に周囲を移動することが出来なくなるから、釣りの作用として、道糸７を介してルア−１を大きく動かす操作をした際にも、釣針５はルア−本体２の保持部２ｂの延長線上に位置することから、魚がルア−１後方側（この例では、糸４の取り付け止着部１０側）から、食いつくような食べ方をした場合に釣針５に掛かる可能性が高まる。
【００１４】
管体３がルア−本体２の螺子部２ｆの端から長く突出されていると、ルア−１を水中に投入し、着底する際には、頭部２ａが下向きとなり、管体３が倒れて着底するまでに時間がかかり、かつルア−本体２に糸４を管体３を挿通して取り付けると共に糸４に釣針５を取り付けているため、釣針５が着底するまでの時間を遅らせることができるので、釣針５は根掛かりし難くなる。
上記のように、ルア−本体２に対して釣針５の位置、姿勢を調整することが出来、しかも管体３は保持部２ｂの螺子部２ｆに螺合されているため、管体３の位置を微調整することが可能となり、これに伴ない釣針５の位置、姿勢も微調整することが出来る。
それによって、魚の餌への食いつきが悪い状況において、さまざまな動きのルア−操作に釣針５の位置、姿勢が対応し、魚が掛かる可能性を高めることが出来る。
【００１５】
前記のようにルア−１が構成されると、ルアー本体２に管体を螺合した螺合量長さによって管体３から突出した糸４の長さが調整されると共に突出した糸４の長さによって釣針５の姿勢が調整されることになる。
保持部２ｂの螺子部２ｆに管体３が螺合されているので、魚が針にかかり管体３から突出した糸４が周囲に振られても管体３の位置ずれがなく、管体３が抜け落ちることを抑制する。
【実施例２】
【００１６】
図５から図７は第２実施例で、図５は管体を断面にしたルア−の平面図、図６はルア−の断面平面図、図７はルア−本体と管体の螺合量を少なくした管体を断面にしたルア−の平面図である。
【００１７】
ルア−１は、ルア−本体２と管体３と、ルア−本体２に取り付けられた糸４に取り付けられた釣針５と、ルア−本体２に取り付けられた道糸７と、ルア−本体２に取り付けられたスカ−ト８で構成されている。
保持部２ｂの端には太径部２ｇが形成されて太径部２ｇの外径は螺子部２ｆのネジ山径及び小径部２ｃの外径より太く形成されている。
保持部２ｂの端に太径部２ｇを形成することにより管体３の抜け落ちを防止している。
他の構成は前記第１実施例と略同一である。
【符号の説明】
【００１８】
１  ルア−
２  ルア−本体
２ｅ  太径部
３  管体
４  糸
５  釣針
【図１】
2010273637.tif 000003
【図２】
2010273637.tif 000004
【図３】
2010273637.tif 000005
【図４】
2010273637.tif 000006
【図５】
2010273637.tif 000007
【図６】
2010273637.tif 000008
【図７】
2010273637.tif 000009